(57)【要約】【課題】  室内の美観を害することなく、壁の裏側を点検することができる、点検口形成枠を提供する。【解決手段】  点検口形成枠２は、室内に面する壁１に明けられた壁孔１ａに挿入される枠本体５と、その枠本体５に支持されるねじ部材６と、挟持片７とを備える。枠本体５は、人の手が挿通可能な、室内側に臨む前面開口５ａとその反対側の後面開口５ｂとを有する。そして、枠本体５は、壁孔１ａの周縁部に表側から対向する鍔部５ｃを有する。また、枠本体５には、前面開口５ａを覆う化粧カバー３が着脱可能に取り付けられる。挟持片７は、壁１の裏面１ｂと対向しない第１位置と、その裏面１ｂと対向する第２位置とに変位可能であって、前記第２位置にて、ねじ部材６の回動により前方に進み、その挟持片７と鍔部５ｃとで壁１を挟持する。【選択図】  図９
2005139704.tif 000002
【特許請求の範囲】
【請求項１】
建物の室内に面する壁の裏側に配管された給水・排水管またはガス管等の管材の接続部分を点検すべく、前記壁に明けられた壁孔に挿入される枠本体と、その枠本体に支持されるねじ部材と、挟持片とを備え、
前記枠本体は、人の手が挿通可能な、室内側に臨む前面開口とその反対側の後面開口とを有するとともに、前記壁孔の周縁部に表側から対向する鍔部を有し、かつ、前記枠本体は、その枠本体に、直接あるいは介在物を介して、前記前面開口を覆う化粧カバーが着脱可能に取付け可能となっており、
前記挟持片は、前記壁の裏面と対向しない第１位置と前記壁の裏面と対向する第２位置とに変位可能であって、前記第２位置にて前記ねじ部材の一方向への回動により前方に進み、前記鍔部とで前記壁を挟持することを特徴とする点検口形成枠。
【請求項２】
前記挟持片は、前記ねじ部材が螺合する雌ねじ部を有し、
前記枠本体には、前記雌ねじ部に螺合する前記ねじ部材の前記一方向への回動により、前記ねじ部材と連れ回りして前記第１位置から前記第２位置に回動変位する前記挟持片の、それ以上の回動を止める係止面と、前記第２位置に位置する前記挟持片を、前記雌ねじ部に螺合する前記ねじ部材の前記一方向への回動により前方に進むように案内する案内面とが設けられていることを特徴とする請求項１に記載の点検口形成枠。
【請求項３】
前記枠本体には、前記壁孔の周縁部を表側から覆う、前記介在物となる化粧枠が取り付けられ、その化粧枠に前記化粧カバーが着脱可能に取り付けられることを特徴とする請求項１または２に記載の点検口形成枠。
【請求項４】
請求項１ないし３のいずれか１項に記載の点検口形成枠と、その点検口形成枠に直接あるいは介在物を介して取り付けられた前記化粧カバーと、前記壁とからなる壁構造であって、
前記点検口形成枠は、前記壁の裏側に配管された給水・排水管またはガス管等の管材の接続部分を点検可能な位置に、前記挟持片と前記鍔部とで壁を挟持するようにして取り付けられていることを特徴とする、点検口形成枠を備えた壁構造。
【発明の詳細な説明】
【技術分野】
【０００１】
この発明は、壁裏を点検することができる、点検口形成枠、およびその点検口形成枠を備えた壁構造に関するものである。
【背景技術】
【０００２】
従来より、建物の天井や床には、点検口が設けられていた（例えば、特許文献１および２参照）。かかる点検口は、一般的に、床や天井内に配設される給排水管の連結を行ったり、ケーブルの配線作業を行ったりできるよう、人の体が入り込める程度の大きさを有していた。そして、このような大型の点検口は、通常、物置や廊下の隅など、建物の中の目立たない個所のみに設置されることが多かった。
【０００３】
【特許文献１】特開２００２−１０５９９７号公報
【０００４】
【特許文献２】特開平８−３１２１２３号公報
【発明の開示】
【発明が解決しようとする課題】
【０００５】
しかし、近年、給水配管やケーブル配線は、天井や床だけでなく、建物の壁内にも張り巡らされており、それらの配管・配線状態は、上記従来の点検口からでは、全く確認することができず、壁に孔を明けたり、壁を打ち破ったりしなければならなかった。
【０００６】
また、前記従来のような大型の点検口を、室内壁に設けることは、室内の美観を著しく害し、さらには、壁の強度も低下していまい、好ましくなかった。
【０００７】
この発明は、上記した従来の欠点を解決するためになされたものであり、その目的とするところは、室内の美観を害することなく、壁の裏側を点検することができる、点検口形成枠、およびその点検口形成枠を備えた壁構造を提供することにある。
【課題を解決するための手段】
【０００８】
この発明に係る、点検口形成枠、およびその点検口形成枠を備えた壁構造は、前記目的を達成するために、次の構成からなる。すなわち、
請求項１に記載の発明に係る点検口形成枠は、建物の室内に面する壁の裏側に配管された給水・排水管またはガス管等の管材の接続部分を点検すべく、前記壁に明けられた壁孔に挿入される枠本体と、その枠本体に支持されるねじ部材と、挟持片とを備える。ここで、前記枠本体は、人の手が挿通可能な、室内側に臨む前面開口とその反対側の後面開口とを有するとともに、前記壁孔の周縁部に表側から対向する鍔部を有する。そして、前記枠本体は、その枠本体に、直接あるいは介在物を介して、前記前面開口を覆う化粧カバーが着脱可能に取付け可能となっている。前記挟持片は、前記壁の裏面と対向しない第１位置と前記壁の裏面と対向する第２位置とに変位可能であって、前記第２位置にて前記ねじ部材の一方向への回動により前方に進み、前記鍔部とで前記壁を挟持する。
【０００９】
この点検口形成枠を、建物の室内に面する壁に取り付けるには、挟持片が前記第１位置に位置する状態で、点検口形成枠を壁孔に挿入する。このとき、枠本体に設けられた鍔部が、壁の表面に当接する。そして、挟持片を前記第１位置から、壁の裏面と対向する第２位置に移動させる。そして、ねじ部材を一方向に回動する。これにより、挟持片が、前方に進み、壁の裏面と当接する。こうして、点検口形成枠は、挟持片と鍔部とで壁を挟持するようにして、その壁に取り付けられる。そして、この点検口形成枠には、前面開口を覆う化粧カバーが取り付けられる。そこで、壁の裏側に配管された管材の接続部分を点検する場合には、化粧カバーを点検口形成枠から外せば、枠本体の、前面開口と後面開口を通じて、壁の裏側の管材の接続部分を点検することができる。そして、この前面開口と後面開口とは、人の手が挿通可能な程度の大きさとすることができ、この点検口形成枠によって室内の美観を損なうこともない。
【００１０】
また、請求項２に記載の発明に係る点検口形成枠のように、請求項１に記載の点検口形成枠において、前記挟持片は、前記ねじ部材が螺合する雌ねじ部を有し、そして、前記枠本体には、前記雌ねじ部に螺合する前記ねじ部材の前記一方向への回動により、前記ねじ部材と連れ回りして前記第１位置から前記第２位置に回動変位する前記挟持片の、それ以上の回動を止める係止面と、前記第２位置に位置する前記挟持片を、前記雌ねじ部に螺合する前記ねじ部材の前記一方向への回動により前方に進むように案内する案内面とが設けられてもよい。こうして、ねじ部材を一方向に回動することで、挟持片は、ねじ部材と連れ回りして、第１位置から第２位置に移動し、その第２位置にて、係止面に止められる。続けて、ねじ部材を一方向に回動すると、挟持片は、案内面に案内されて、前方に進み、この挟持片と鍔部とで壁が挟持される。このように、ねじ部材を一方向に回動することで、この点検口形成枠を簡単に壁に取り付けることができる。
【００１１】
また、請求項３に記載の発明に係る点検口形成枠のように、請求項１または２に記載の点検口形成枠において、前記枠本体には、前記壁孔の周縁部を表側から覆う、前記介在物となる化粧枠が取り付けられ、その化粧枠に前記化粧カバーが着脱可能に取り付けられてもよい。
【００１２】
また、請求項４に記載の発明に係る、点検口形成枠を備えた壁構造は、請求項１ないし３のいずれか１項に記載の点検口形成枠と、その点検口形成枠に直接あるいは介在物を介して取り付けられた前記化粧カバーと、前記壁とからなる壁構造であって、前記点検口形成枠は、前記壁の裏側に配管された給水・排水管またはガス管等の管材の接続部分を点検可能な位置に、前記挟持片と前記鍔部とで前記壁を挟持するようにして取り付けられている。これにより、点検口形成枠から化粧カバーを外すことで、壁の裏側の給水・排水管またはガス管等の管材の接続部分を点検することができる。
【発明の効果】
【００１３】
以上、詳述したところから明らかなように、この発明に係る点検口形成枠、およびその点検口形成枠を備えた壁構造によれば、枠本体に設けられた前面開口と後面開口とは、人の手が挿通可能な程度の大きさとすることができるので、室内の美観を害することなく、壁の裏側の管材の接続部分を点検することができる。
【発明を実施するための最良の形態】
【００１４】
以下、この発明に係る点検口形成枠、およびその点検口形成枠を備えた壁構造を実施するための最良の形態を図面に基づいて説明する。
【００１５】
図１ないし図９は、本発明の一実施の形態を示す。図中符号１は、建物の室内に面する壁（縦壁）である。１ａは、前記壁１に明けられた壁孔である。２は、点検口形成枠であって、例えば、壁１の裏側に配管された給水・排水管またはガス管等の管材の接続部分を点検するための、点検口形成枠である。３は、化粧カバーである。４は、壁構造であり、前記点検口形成枠２と、その点検口形成枠２に直接あるいは介在物を介して取り付けられた前記化粧カバー３と、前記壁１とからなる。
【００１６】
ここで、点検口形成枠２は、壁孔１ａに挿入される枠本体５と、その枠本体５に支持されるねじ部材６と、挟持片７とを備えている。枠本体５は、人の手が挿通可能な、室内側に臨む前面開口５ａとその反対側の後面開口５ｂとを有するとともに、壁孔１ａの周縁部に表側から対向する鍔部５ｃを有する。また、枠本体５は、その枠本体５に、直接あるいは介在物を介して、前記前面開口５ａを覆う化粧カバー３が着脱可能に取付け可能となっている。挟持片７は、壁１の裏面１ｂと対向しない第１位置（図３ないし図５参照）と、壁１の裏面１ｂと対向する第２位置（図６ないし図８参照）とに変位可能となっている。そして、挟持片７は、前記第２位置にて、ねじ部材６の一方向への回動により前方に進み、その挟持片７と鍔部５ｃとで壁１を挟持するようになっている（図９参照）。
【００１７】
詳細には、挟持片７は、ねじ部材６が螺合する雌ねじ部７ａを有している。そして、枠本体５には、雌ねじ部７ａに螺合するねじ部材６の前記一方向（図示実施の形態においては、右回り方向）への回動により、そのねじ部材６と連れ回りして前記第１位置から前記第２位置に回動変位する挟持片７の、それ以上の回動を止める係止面５ｄと、前記第２位置に位置する挟持片７を、雌ねじ部７ａに螺合するねじ部材６の前記一方向への回動により前方に進むように案内する案内面５ｅとが設けられている。さらに、枠本体５には、ねじ部材６の前記一方向への回動により前方に進んだ挟持片７を、雌ねじ部７ａに螺合するねじ部材６の、前記一方向とは反対方向となる他方向（図示実施の形態においては、左回り方向）への回動により、後方の前記第２位置まで案内する他の案内面５ｆが設けられている。そして、挟持片７は、雌ねじ部７ａに螺合するねじ部材６の前記他方向への回動により、そのねじ部材６と連れ回りして前記第２位置から前記第１位置に回動変位する。また、枠本体５には、壁孔１ａの周縁部を表側から覆う、前記介在物となる化粧枠８が取り付けられる。そして、その化粧枠８に前記化粧カバー３が着脱可能に取り付けられる。
【００１８】
具体的には、枠本体５は、箱形形状、例えば直方体形状、特に横長となる直方体形状をしている。そこで、枠本体５は、前方が開放するようにして、前記前面開口５ａが形成され、後方が、周壁５ｇから延設される枠状の後壁５ｈを残して開口するようにして、前記後面開口５ｂが形成されている。そして、前記鍔部５ｃは、周壁５ｇ（詳細には、左壁５ｉおよび右壁５ｊ）の、前端部分から外方に延設されている。
【００１９】
そして、枠本体５には、周壁５ｇ（詳細には、上壁５ｋおよび下壁５ｍ）に繋がる位置に後壁５ｈから立設する第１のボス５ｎ、５ｎが形成されている。そして、この第１のボス５ｎに、固定具９が、ビス１０を用いて固定されている。そして、この固定具９に、化粧枠８を取付固定するための、例えば雌ねじが螺設された固定部９ａが設けられている。すなわち、化粧枠８は、固定部９ａに、ビス１１を用いて取付固定される（図１参照）。また、図１に示すように、化粧枠８には、係合部としての係合孔８ａ、８ａが設けられている。そして、化粧カバー３には、前記係合孔８ａ、８ａに係合する、被係合部としての被係合爪３ａ、３ａが設けられている。こうして、化粧カバー３は、その被係合爪３ａが、係合孔８ａに係合して、化粧枠８に、ひいては枠本体５に、着脱可能に取り付けられる。
【００２０】
また、枠本体５には、第１のボス５ｎと同様にして、周壁５ｇ（詳細には、上壁５ｋおよび下壁５ｍ）に繋がる位置に後壁５ｈから立設する第２のボス５ｐ、５ｐが形成されている。この第２のボス５ｐは、前部片５ｑを残して、中空に形成され、そして、その中空部に通ずるように、周壁５ｇ（詳細には、上壁５ｋおよび下壁５ｍ）が開口している。そして、これら周壁５ｇの開口および第２のボス５ｐの中空部は、挟持片７を、前記第２の位置から前方に、そして、その前方位置から後方の前記第２の位置に案内する案内空間５ｒとなっている。また、枠本体５には、その後部部分に、前記案内空間５ｒに連通するように、周壁５ｇ（詳細には、上壁５ｋおよび下壁５ｍ）および第２のボス５ｐが切欠かれた切欠部５ｓが形成されている。そして、案内空間５ｒにおける、切欠部５ｓと対向する面が、前記係止面５ｄとなり、その係止面５ｄから連続して前方へと延びる面が、前記案内面５ｅとなっている。そして、案内空間５ｒにおいて、案内面５ｅと対向する面が、前記他の案内面５ｆとなっている。また、前部片５ｑには、第１の孔５ｔ（詳細には、座ぐり付きの孔）が明けられ、そして、後壁５ｈにおける、前記第１の孔５ｔと対向する位置に、第２の孔５ｕが明けられている。そこで、前述のねじ部材６が、前方から、第１および第２の孔５ｔ、５ｕに挿通されるようにして、前記案内空間５ｒを貫通して配置される。
【００２１】
挟持片７は、盤状に形成されて、その一方部７ｂに、ねじ部材６が螺合する前記雌ねじ部７ａが螺設されている。こうして、この雌ねじ部７ａが形成された一方部７ｂは、前記案内空間５ｒに収容される。そして、挟持片７は、その他方部７ｃが、前記第１位置にて、壁１の裏面１ｂと対向しないよう、枠本体５の切欠部５ｓによって形成された収容空間５ｖに収容され、前記第２位置にて、壁１の裏面１ｂと対向するよう、周壁５ｇから外方に突出する。すなわち、挟持片７は、第２位置にて壁１の裏面１ｂと対向する、対向面７ｄを有している。そして、挟持片７が第２位置から前方に進んだ際には、この対向面７ｄが、壁１の裏面１ｂと当接することになる。
【００２２】
また、壁構造４においては、点検口形成枠２が、例えば、壁１の裏側に配管された給水・排水管の接続部分（特にヘッダー）、あるいはガス管等の管材の接続部分を点検可能な位置に、挟持片７と鍔部５ｃとで壁１を挟持するようにして取り付けられる。
【００２３】
次に、以上の構成からなる点検口形成枠２および壁構造４の作用効果について説明する。この点検口形成枠２を、建物の室内に面する壁１に取り付けるには、挟持片７が、壁１の裏面１ｂと対向しない第１位置に位置する状態で（図３ないし図５参照）、点検口形成枠２を壁孔１ａに挿入する。このとき、枠本体５に設けられた鍔部５ｃが、壁１の表面１ｃに当接する。そして、ねじ部材６を一方向（図示実施の形態においては、右回り方向）に回動する。これにより、挟持片７は、ねじ部材６と連れ回りして、前記第１位置から、壁１の裏面と対向する第２位置に回動するように移動し（図６ないし図８参照）、その第２位置にて、挟持片７の回動が、係止面５ｄに止められる。続けて、ねじ部材６を一方向に回動する。これにより、挟持片７が、案内面５ｅに案内されて前方に進み、その挟持片７（詳細には、対向面７ｄ）が、壁１の裏面１ｂと当接する（図９参照）。こうして、点検口形成枠２は、挟持片７と鍔部５ｃとで壁１を挟持するようにして、その壁１に取り付けられる。つまり、ねじ部材６を一方向に回動することで、この点検口形成枠２を簡単に壁１に取り付けることができる。
【００２４】
そして、この点検口形成枠２には、化粧枠８を介して、前面開口５ａを覆う化粧カバー３が取り付けられる。そこで、壁１の裏側（例えば、壁１の裏側に配管された給水・排水管またはガス管等の管材の接続部分）を点検する場合には、化粧カバー３を点検口形成枠２（詳細には、化粧枠８）から外せば、枠本体５の、前面開口５ａと後面開口５ｂを通じて、壁１の裏側（例えば、壁１の裏側の管材の接続部分）を点検することができる。そして、この前面開口５ａと後面開口５ｂとは、人の手が挿通可能な程度の大きさとすることができ、この点検口形成枠２によって室内の美観を損なうこともない。すなわち、この点検口形成枠２により、室内の美観を害することなく、壁１の裏側（例えば、壁１の裏側に配管された給水・排水管またはガス管等の管材の接続部分）を点検することができる。ここにおいて、枠本体５における前面開口５ａと後面開口５ｂとは、人の手が挿通可能な大きさであって、２００ｍｍ角の範囲内の大きさが好ましく、特に、１５０ｍｍ角の範囲内の大きさとなるのが一層好ましい。
【００２５】
また、この点検口形成枠２を、壁１から取り外すには、始めに、化粧カバー３を化粧枠８から外し、そして、必要に応じて、化粧枠８を枠本体５から外す。その後、ねじ部材６を他方向（図示実施の形態においては、左回り方向）に回動する。これにより、挟持片７は、他の案内面５ｆに案内されて後方に進み前記第２位置に達する。続けて、ねじ部材６を他方向に回動する。これにより、挟持片７が、ねじ部材６と連れ回りして、前記第２位置から、壁１の裏面１ｂと対向しない第１位置に回動するように移動する。そこで、点検口形成枠２を前方に引き出すことで、その点検口形成枠２は、壁１から取り外される。このように、点検口形成枠２を壁１から取り外す場合にも、ねじ部材６を他方向に回動することで、簡単に取り外すことができる。
【００２６】
なお、本発明は、上述した実施の形態に限定されるわけではなく、その他種々の変更が可能である。例えば、点検口形成枠２は、壁１の裏側に配管された給水・排水管の接続部分、あるいはガス管等の管材の接続部分を点検可能な位置に配置されるが、壁１の裏側に配線されたケーブルの接続部分を点検可能な位置に配置されてもよく、また、壁１の裏側におけるその他の部位の点検のために配置されてもよい。
【００２７】
また、挟持片７は、壁１の裏面１ｂと対向しない第１位置と、壁１の裏面１ｂと対向する第２位置との間の変位が、ねじ部材６と連れ回りすることで成されなくとも、前記第１位置にて、挟持片７の対向面７ｄが、周壁５ｇに沿った向きにあり、前記第２位置にて、その対向面７ｄが、周壁５ｇに沿った向きから起立するようにして壁１の裏面１ｂと対向してもよい。さらには、挟持片７は、回動することなく、例えば並進運動によって、前記第１位置と第２位置との間を変位してもよい。
【００２８】
また、化粧カバー３は、介在物となる化粧枠８を介して、枠本体５に取り付けられるが、この介在物を介すことなく、直接枠本体５に取り付けられてもよい。
【００２９】
また、化粧枠８は、枠本体５とは別体となっているが、例えば樹脂成形により、枠本体５と一体に成形されてもよい。
【図面の簡単な説明】
【００３０】
【図１】この発明の一実施の形態の、壁構造の一部を破断した側面図である。
【図２】同じく、点検口形成枠の斜視図である。
【図３】同じく、挟持片が第１位置にある点検口形成枠を示す、正面図である。
【図４】同じく、挟持片が第１位置にある点検口形成枠を示す、底面図である。
【図５】同じく、図４におけるＡ−Ａ線による拡大断面図である。
【図６】同じく、挟持片が第２位置にある点検口形成枠を示す、正面図である。
【図７】同じく、挟持片が第２位置にある点検口形成枠を示す、底面図である。
【図８】同じく、図７におけるＢ−Ｂ線による拡大断面図である。
【図９】同じく、挟持片が前方に移動した点検口形成枠を示す、一部を破断した側面図である。
【符号の説明】
【００３１】
１  壁
１ａ  壁孔
１ｂ  裏面
２  点検口形成枠
３  化粧カバー
４  壁構造
５  枠本体
５ａ  前面開口
５ｂ  後面開口
５ｃ  鍔部
５ｄ  係止面
５ｅ  案内面
６  ねじ部材
７  挟持片
７ａ  雌ねじ部
８  化粧枠
【図１】
2005139704.tif 000003
【図２】
2005139704.tif 000004
【図３】
2005139704.tif 000005
【図４】
2005139704.tif 000006
【図５】
2005139704.tif 000007
【図６】
2005139704.tif 000008
【図７】
2005139704.tif 000009
【図８】
2005139704.tif 000010
【図９】
2005139704.tif 000011